(57)【特許請求の範囲】
【請求項１】
電源ラインと出力端子との間に接続された出力トランジスタと、
前記出力端子と第１の接地ラインとの間に接続される負荷と、
前記出力トランジスタのゲートと第２の接地ラインとの間に接続され、前記出力トランジスタを非導通にする場合に前記出力トランジスタのゲートと第２の接地ラインとの間を導通する放電トランジスタと、
前記出力端子と前記第２の接地ラインとの間に接続され、前記第２の接地ラインの電位が所定値以上となった場合に導通し、前記出力トランジスタの非導通状態を維持する補償トランジスタと、
前記電源ラインと前記第２の接地ラインとの間に接続される電源の極性が正常の場合に、前記第２の接地ラインと前記補償トランジスタのバックゲートと導通状態に制御するバックゲート制御回路と、
前記バックゲート制御回路と前記補償トランジスタのバックゲートとの間に接続された第１の抵抗と、を備え、
前記バックゲート制御回路は、
前記第２の接地ラインと前記補償トランジスタのバックゲートとの間の導通／非導通を前記電源ラインの電圧に応じて制御する第１のトランジスタを備えた、負荷駆動装置。
【請求項２】
電源ラインと出力端子との間に接続された出力トランジスタと、
前記出力端子と第１の接地ラインとの間に接続される負荷と、
前記電源ラインと第２の接地ラインとの間に接続される電源の極性が逆になった場合に前記出力トランジスタを導通状態にする保護トランジスタと、
前記出力端子と前記第２の接地ラインとの間に接続され、前記第２の接地ラインの電位が所定値以上となった場合に導通し、前記出力トランジスタの非導通状態を維持する補償トランジスタと、
前記電源の極性が正常の場合に、前記第２の接地ラインと、前記保護トランジスタ及び前記補償トランジスタのそれぞれのバックゲートと、を導通状態に制御するバックゲート制御回路と、
前記バックゲート制御回路と、前記保護トランジスタ及び前記補償トランジスタのそれぞれのバックゲートと、の間に接続された第１の抵抗と、を備え、
前記バックゲート制御回路は、
前記第２の接地ラインと、前記保護トランジスタ及び前記補償トランジスタのそれぞれのバックゲートと、の間の導通／非導通を前記電源ラインの電圧に応じて制御する第１のトランジスタを備えた、負荷駆動装置。
【請求項３】
一端が前記バックゲート制御回路に接続され、他端が前記第２の接地ラインに接続された第２の抵抗と、
前記第２の抵抗の一端にアノードが接続され、前記電源ラインにカソードが接続された保護ダイオードと、をさらに備えた請求項２に記載の負荷駆動装置。
【請求項４】
前記バックゲート制御回路は、
前記補償トランジスタ及び前記保護トランジスタのそれぞれのバックゲートと、前記出力端子と、の間の導通／非導通を前記第２の接地ラインの電圧に応じて制御する第２のトランジスタをさらに備えた請求項２又は３に記載の負荷駆動装置。
【請求項５】
前記出力トランジスタのゲート及びソースの間に接続され、前記出力トランジスタを非導通にする場合に前記出力トランジスタのゲート及びソースの間を導通する放電トランジスタと、
前記放電トランジスタのバックゲートと前記出力トランジスタのソースとの間に接続された第３の抵抗と、をさらに備えた請求項２〜４のいずれか一項に記載の負荷駆動装置。
【請求項６】
前記第３の抵抗は拡散抵抗であることを特徴とする請求項５に記載の負荷駆動装置。
【請求項７】
前記補償トランジスタは、
ソースまたはドレインの一方が前記出力端子に接続され、ソースまたはドレインの他方が第２の抵抗を介して前記第２の接地ラインに接続され、ゲートが前記第２の接地ラインに接続され、バックゲートが前記第１の抵抗を介して前記バックゲート制御回路に接続されたことを特徴とする請求項１に記載の負荷駆動装置。
【請求項８】
前記補償トランジスタは、
ソースまたはドレインの一方が前記出力端子に接続され、ソースまたはドレインの他方が第４の抵抗を介して前記第２の接地ラインに接続され、ゲートが前記第２の抵抗を介して前記第２の接地ラインに接続され、バックゲートが前記第１の抵抗を介して前記バックゲート制御回路に接続されたことを特徴とする請求項３に記載の負荷駆動装置。
【請求項９】
前記保護トランジスタは、
ダイオード接続されたトランジスタであって、カソード側端子が前記出力トランジスタのゲートに接続され、アノード側端子が第４の抵抗を介して前記第２の接地ラインに接続されたことを特徴とする請求項２に記載の負荷駆動装置。
【請求項１０】
前記第１の抵抗は拡散抵抗であることを特徴とする請求項１〜９のいずれか一項に記載の負荷駆動装置。
【発明の詳細な説明】
【技術分野】
【０００１】
本発明は負荷駆動装置に関し、特に負荷への電源供給を制御する出力トランジスタを有する負荷駆動装置に関する。
【背景技術】
【０００２】
電力供給用半導体は、負荷に電源から電力を供給する負荷駆動装置として広く用いられている。応用分野の一つとして、自動車のアクチュエータやランプを駆動するために用いられている。
【０００３】
負荷駆動装置では、負荷駆動装置の接地端子と負荷の接地端子とが離れた場所に配置される場合がある。このような場合、両端子間における導電体の抵抗成分によって負荷駆動装置の接地電圧と負荷の接地電圧とに電圧差が生じる場合がある。また、負荷駆動装置はユニットに搭載されることがある。このユニットでは、負荷駆動装置に向けた接地電圧の供給がコネクタを介して行われる。このような場合、コネクタの不良や配線の断線により、負荷駆動装置に接地電圧が供給されない場合がある。つまり、負荷駆動装置の接地端子がオープンな状態になる場合がある。それに加え、負荷駆動装置の接地端子には、構成素子に形成される寄生デバイスにより電圧が与えられる場合がある。
【０００４】
接地端子がオープン状態となった場合において、負荷と電源との間のスイッチの役割を持つ出力トランジスタは、ゲート電圧が十分に上昇していないにもかかわらず導通する可能性がある。言い換えると、出力トランジスタはドレイン・ソース間の抵抗値が高い状態で導通する可能性がある。この場合、出力トランジスタは過熱状態となり破壊に至るという問題がある。そのため、接地端子がオープン状態となった場合には、出力トランジスタを非導通状態に維持することが求められる。
【０００５】
さらに、負荷駆動装置が自動車等に用いられる場合において、負荷駆動装置が待機状態の場合には、スタンバイ電流をマイクロアンペアのオーダーにして無駄な消費電流を発生させないことが要求される。
【０００６】
このような要求に対する解決策が特許文献１に開示されている。図１４は、特許文献１に記載された負荷駆動装置１の回路図である。図１４に示すように、負荷駆動装置１は、電源１０、負荷１１、ドライバ回路１２、制御回路１３、バックゲート制御回路１５、補償回路１６、出力トランジスタＴ１、抵抗Ｒ１０、電源端子ＰＷＲ、接地端子ＧＮＤ１、接地端子ＧＮＤ２、出力端子ＯＵＴを有する。負荷駆動装置の接続については、特許文献中に詳細な説明が記載されているので省略する。
【０００７】
次に、負荷駆動装置１の動作について説明する。まず、正常動作のうち出力トランジスタＴ１が導通するモードについて説明する。導通モードでは、放電トランジスタＭＮ１は、ロウレベルの制御信号Ｓ２がゲートに印加されることにより非導通状態となる。また、接地端子ＧＮＤ２には、電源１０の負極側電圧ＶＳＳ（例えば、０Ｖ）が供給されるため、補償トランジスタＭＮ７も非導通となる。一方、出力トランジスタＴ１は、ドライバ回路１２から出力されるハイレベルの制御信号Ｓ１がゲートに印加されることにより導通状態となる。従って、導通モードでは、出力端子ＯＵＴの電圧は電源１０の正極側電圧ＶＢとほぼ同じ値となる。また、導通モードでは、第２のスイッチ部１５ｂのＮＭＯＳトランジスタＭＮ５、ＭＮ６が導通して、第１のスイッチ部１５ａのＮＭＯＳトランジスタＭＮ３、ＭＮ４が非導通になる。そのため、補償トランジスタＭＮ７のバックゲートには接地端子ＧＮＤ２の電圧が印加される。このとき、補償トランジスタＭＮ７は、出力端子ＯＵＴに接続される端子がドレインとなり、ノードＡに接続される端子がソースとなる。
【０００８】
次に、正常動作のうち出力トランジスタＴ１が非導通となる非導通モードについて説明する。非導通モードでは、放電トランジスタＭＮ１は、ハイレベルの制御信号Ｓ２がゲートに印加されることにより導通状態となる。また、接地端子ＧＮＤ２には、電源１０の負極側電圧ＶＳＳ（例えば、０Ｖ）が供給されるため、補償トランジスタＭＮ７は非導通となる。一方、出力トランジスタＴ１は、ロウレベルの制御信号Ｓ１がゲートに印加されることにより非導通状態となる。従って、非導通モードでは、出力端子ＯＵＴの電圧は負荷１１の接地電圧ＧＮＤ１の電圧（例えば、０Ｖ）とほぼ同じ値となる。また、非導通モードでは、第１のスイッチ部１５ａのＮＭＯＳトランジスタＭＮ３、ＭＮ４が非導通となり、第２のスイッチ部１５ｂのＮＭＯＳトランジスタＭＮ５、ＭＮ６も非導通となる。そのため、バックゲート制御回路１５が補償トランジスタＭＮ７のバックゲートに与える電圧は、接地端子ＧＮＤ２と出力端子ＯＵＴの電圧差である０Ｖとなる。
【０００９】
続いて、配線の接続不良等により接地端子ＧＮＤ２がオープン状態を示すモード（ＧＮＤ接続不良モード）について説明する。ＧＮＤ接続不良モードでは、出力トランジスタＴ１が非導通状態であるものとする。そのため、出力端子ＯＵＴは０Ｖとなる。接地端子ＧＮＤ２の電圧が０Ｖよりも上昇し、補償トランジスタＭＮ７の閾値を超える電圧となると、補償トランジスタＭＮ７は導通して、ノードＡと出力端子ＯＵＴとの間をショートする。これにより、ノードＡには、出力端子ＯＵＴの電圧（例えば、０Ｖ）が供給される。そのため、放電トランジスタＭＮ１のソース・ドレイン間電圧は実質的に無くなる。従って、放電トランジスタＭＮ１を介して出力トランジスタＴ１のゲートにはリーク電流が流入することはない。つまり、出力トランジスタＴ１のゲートにはリーク電流による電圧上昇は発生することがない。それにより、出力トランジスタＴ１は非導通状態を維持する。また、ＧＮＤ接続不良モードでは、第１のスイッチ部１５ａのＮＭＯＳトランジスタＭＮ３、ＭＮ４が導通して、第２のスイッチ部１５ｂのＮＭＯＳトランジスタＭＮ５、ＭＮ６が非導通となる。そのため、バックゲート制御回路が補償トランジスタＭＮ７のバックゲートに与える電圧は、出力端子ＯＵＴの電圧となる。つまり、ＧＮＤ接続不良モードでは、補償トランジスタＭＮ７のバックゲート電圧が０Ｖとなる。このとき、補償トランジスタＭＮ７は、出力端子ＯＵＴに接続される端子がソースとなり、ノードＡに接続される端子がドレインとなる。
【００１０】
上記の説明により、従来の負荷駆動装置１は、接地配線の接続不良によって接地端子ＧＮＤ２の電圧が上昇した場合であっても、補償トランジスタＭＮ７が導通することによって、ノードＡに出力端子ＯＵＴの電圧を供給する。それにより、従来の負荷駆動装置１は、放電トランジスタＭＮ１の両端に発生する電圧差を実質的に無くし、放電トランジスタＭＮ１を非導通にする。それにより、放電トランジスタＭＮ１を介して出力トランジスタＴ１のゲートに流れ込むリーク電流は抑制される。このような動作により、従来の負荷駆動装置１は、接地端子ＧＮＤ２の電圧が上昇した場合であっても、出力トランジスタＴ１の非導通状態を維持することができる。それにより、従来の負荷駆動装置１は、出力トランジスタＴ１の発熱を防止して、出力トランジスタＴ１の破壊を防ぐことができる。つまり、従来の負荷駆動装置１では、接地配線の断線等による不具合に対する信頼性を向上することができる。
【先行技術文献】
【特許文献】
【００１１】
【特許文献１】特開２００９−１６５１１３公報
【発明の概要】
【発明が解決しようとする課題】
【００１２】
半導体基板上に図１４に示す従来の負荷駆動装置を集積化した場合において、当該負荷駆動装置を動作条件範囲内の高電圧によって動作させた場合、トランジスタＭＮ４、ＭＮ６及びＭＮ７に形成される縦型の寄生バイポーラＱ４〜Ｑ７が導通し、消費電流が発生するという問題があった。この消費電流の発生について以下に説明する。
【００１３】
従来の負荷駆動装置が待機状態の場合において、トランジスタＭＮ４、ＭＮ６及びＭＮ７のＰウェル（寄生バイポーラＱ４〜Ｑ７のベース）は、トランジスタＭＮ４、ＭＮ６及びＭＮ７のドレイン／ソース（寄生バイポーラＱ４〜Ｑ７のエミッタ）と電気的な接続が取れない。そのため、当該寄生バイポーラのベースがオープンとなる。ここで、寄生バイポーラの降伏電圧は、ベースがオープンの場合のエミッタ−コレクタ間の耐圧ＢＶｃｅｏとして表すことができる。
【００１４】
図１３は、バイポーラの耐圧特性を示した図である。一般に良く知られているように、ベースがオープンの場合のバイポーラの耐圧ＢＶｃｅｏと、ベースに電位が与えられた場合のバイポーラの耐圧ＢＶｃｂｏとは、電流増幅率ｈＦＥにより以下の関係が成り立つ。
【００１５】
ＢＶｃｅｏ＝ＢＶｃｂｏ／４√ｈＦＥ  ・・・（式１）
【００１６】
デバイスの開発では、デバイスサイズと耐圧との関係がトレードオフの関係にある。このとき、耐圧ＢＶｃｂｏは最適な値をとるように設計される。例えば、４０Ｖの耐圧が必要な場合、通常、デバイスの耐圧ＢＶｃｂｏは６０Ｖ程度となるように設計される。
【００１７】
図１４に示す寄生バイポーラＱ４〜Ｑ７の電流増幅率ｈＦＥは、例えば１００程度である。つまり（式１）より、耐圧ＢＶｃｅｏは耐圧ＢＶｃｂｏの約１／３程度である。
【００１８】
そのため、従来の負荷駆動装置が待機状態の場合において、寄生バイポーラＱ４〜Ｑ７に対して耐圧ＢＶｃｅｏよりも高い電圧が与えられると、寄生バイポーラＱ４〜Ｑ７がブレークダウンして当該寄生バイポーラに電流が流れる。それにより、従来の負荷駆動装置は消費電流が増大する。
【００１９】
このように従来の負荷駆動装置では、補償回路１６に設けられたトランジスタのバックゲート及びバックゲート制御回路１５に設けられたトランジスタのバックゲートが、負荷駆動装置の待機時にいずれもオープン（ハイインピーダンス）になった。そのため、従来技術の負荷駆動装置では、寄生バイポーラに電流が流れ、消費電流が増大するという問題があった。
【課題を解決するための手段】
【００２０】
本発明に一態様にかかる負荷駆動装置は、電源ラインと出力端子との間に接続された出力トランジスタと、前記出力端子と第１の接地ラインとの間に接続される負荷と、前記出力トランジスタのゲートと第２の接地ラインとの間に接続され、前記出力トランジスタを非導通にする場合に前記出力トランジスタのゲートと第２の接地ラインとの間を導通する放電トランジスタと、前記出力端子と前記第２の接地ラインとの間に接続され、前記第２の接地ラインの電位が所定値以上となった場合に導通し、前記出力トランジスタの非導通状態を維持する補償トランジスタと、前記第２の接地ラインと前記補償トランジスタのバックゲートとの間に接続された第１の抵抗と、を備える。
【００２１】
また、本発明の別の態様にかかる負荷駆動装置は、電源ラインと出力端子との間に接続された出力トランジスタと、前記出力端子と第１の接地ラインとの間に接続される負荷と、前記電源ラインと前記第２の接地ラインとの間に接続される電源の極性が逆になった場合に前記出力トランジスタを導通状態にする保護トランジスタと、前記電源の極性が正常の場合に前記第２の接地ラインと前記保護トランジスタのバックゲートとを導通状態に制御するバックゲート制御回路と、前記出力端子と前記第２の接地ラインとの間に接続され、前記第２の接地ラインの電位が所定値以上となった場合に導通し、前記出力トランジスタの導通状態を維持する補償トランジスタと、前記第２の接地ラインと前記補償トランジスタのバックゲートとの間に接続された第１の抵抗と、を備える。
【００２２】
上述のような回路構成により、電源が正常に接続された場合の待機時において、消費電流の増大を抑制することができる。
【発明の効果】
【００２３】
本発明により、電源が正常に接続された場合の待機時において、消費電流の増大を抑制することが可能な負荷駆動装置を提供することができる。
【図面の簡単な説明】
【００２４】
【図１】本発明の実施の形態１にかかる負荷駆動装置の回路図である。
【図２】本発明の実施の形態１にかかる負荷駆動装置において形成される寄生素子を説明するための半導体装置の断面図である。
【図３】本発明の実施の形態２にかかる負荷駆動装置の回路図である。
【図４】本発明の実施の形態２にかかる負荷駆動装置において形成される寄生素子を説明するための半導体装置の断面図である。
【図５】本発明の実施の形態２にかかる負荷駆動装置において電源が逆接続された場合の回路図である。
【図６】本発明の実施の形態２にかかる負荷駆動装置において形成される寄生素子を説明するための半導体装置の断面図である。
【図７】本発明の実施の形態３にかかる負荷駆動装置の回路図である。
【図８】本発明の実施の形態３にかかる負荷駆動装置において形成される寄生素子を説明するための半導体装置の断面図である。
【図９】本発明の実施の形態３にかかる負荷駆動装置において電源が逆接続された場合の回路図である。
【図１０】本発明の実施の形態３にかかる負荷駆動装置において形成される寄生素子を説明するための半導体装置の断面図である。
【図１１】本発明の実施の形態４にかかる負荷駆動装置の回路図である。
【図１２】本発明の実施の形態４にかかる負荷駆動装置において形成される寄生素子を説明するための半導体装置の断面図である。
【図１３】バイポーラトランジスタの耐圧特性を示す図である。
【図１４】従来の負荷駆動装置の回路図である。
【発明を実施するための形態】
【００２５】
以下では、本発明を適用した具体的な実施の形態について、図面を参照しながら詳細に説明する。説明の明確化のため、必要に応じて重複説明は省略される。
【００２６】
実施の形態１
図１に実施の形態１にかかる負荷駆動装置２の回路図を示す。図１に示すように、負荷駆動装置２は、電源１０、負荷１１、ドライバ回路１２、制御回路１３、バックゲート制御回路１８、補償回路１６、出力トランジスタＴ１、抵抗（第２の抵抗）Ｒ１０、抵抗（第１の抵抗）Ｒ３、電源端子ＰＷＲ、接地端子ＧＮＤ１、接地端子ＧＮＤ２、出力端子ＯＵＴを有する。抵抗Ｒ３は例えば拡散抵抗である。なお、本実施の形態では、電源１０と出力端子ＯＵＴとを電源端子ＰＷＲを介して接続する配線ラインを電源ラインと称し、接地端子ＧＮＤ１と出力端子ＯＵＴとを負荷１１を介して接続する配線ラインを第１の接地ラインと称し、電源１０と出力端子ＯＵＴとを接地端子ＧＮＤ２を介して接続する配線ラインを第２の接地ラインと称す。
【００２７】
電源１０は、電源端子ＰＷＲと、接地端子ＧＮＤ１及びＧＮＤ２との間に接続される。電源１０は、正常接続時において、電源端子ＰＷＲに正極側電圧ＶＢを供給し、接地端子ＧＮＤ１及びＧＮＤ２に負極側電圧ＶＳＳを供給する。負荷１１は、出力端子ＯＵＴと接地端子ＧＮＤ１との間に接続される。負荷１１は、例えば、アクチュエータやランプ等であって、負荷駆動装置２において電力の供給先となるものである。
【００２８】
ドライバ回路１２は、負荷駆動装置２の制御装置である。ドライバ回路１２は、出力トランジスタＴ１のゲートに制御信号Ｓ１を供給し、制御回路１３に制御信号Ｓ２を供給する。本実施の形態においては、制御信号Ｓ１、Ｓ２は、互いに逆相となる信号であるものとする。ドライバ回路１２は制御信号Ｓ１、Ｓ２によって出力トランジスタＴ１の導通状態を制御する。
【００２９】
制御回路１３は、出力トランジスタＴ１のゲートに接続されるとともに、抵抗Ｒ１０を介して接地端子ＧＮＤ２に接続される。なお、抵抗Ｒ１０と制御回路１３とは、ノードＡを介して接続されている。つまり、制御回路１３は、出力トランジスタＴ１のゲートとノードＡとの間に接続される。制御回路１３の導通／非導通は、制御信号Ｓ２によって制御される。制御回路１３は、制御信号Ｓ２がハイレベルの場合に導通状態となり、出力トランジスタＴ１のゲートから電荷の引き抜きを行う。また、制御回路１３は、制御信号Ｓ２がロウレベルの場合に非導通状態となり、出力トランジスタＴ１のゲートから電荷の引き抜きを行わない。
【００３０】
より具体的には、制御回路１３は、放電トランジスタＭＮ１を有する。本実施例の形態では、放電トランジスタＭＮ１としてＮ型ＭＯＳトランジスタを用いる。放電トランジスタＭＮ１では、ドレインが出力トランジスタＴ１のゲートが接続され、ソース及びバックゲートがノードＡに接続される。なお、放電トランジスタＭＮ１のゲートには、制御信号Ｓ２が入力される。
【００３１】
放電トランジスタＭＮ１のバックゲート及びドレインの間には、寄生素子として、寄生ダイオードＤ１が形成される。より具体的には、寄生ダイオードＤ１では、放電トランジスタＭＮ１のバックゲートにアノードが接続され、出力トランジスタＴ１のゲートにカソードが接続される。ここで、寄生ダイオードＤ１は、ソース電圧がドレイン電圧よりも高くなった場合に導通する。例えば、ソース電圧がドレイン電圧より０．７Ｖ以上高くなった場合に導通する。
【００３２】
補償回路１６は、出力端子ＯＵＴとノードＡとの間に接続され、接地端子ＧＮＤ２の電圧が所定の電圧よりも高くなった場合に、ノードＡと出力端子ＯＵＴとをショートする。補償回路１６は、補償トランジスタＭＮ７を有する。本実施例の形態では、補償トランジスタＭＮ７としてＮ型ＭＯＳトランジスタを用いる。補償トランジスタＭＮ７では、ソース／ドレインの一方が出力端子ＯＵＴに接続され、ソース／ドレインの他方がノードＡに接続され、ゲートが接地端子ＧＮＤ２に接続され、バックゲートが抵抗Ｒ３の一方の端子に接続される。
【００３３】
なお補償回路１６には、寄生素子として、寄生バイポーラＱ６、Ｑ７及び寄生ダイオードＤ３ｃ、Ｄ３ｄが形成される。より具体的には、寄生バイポーラＱ６では、補償トランジスタＭＮ７のバックゲートにベースが接続され、補償トランジスタＭＮ７のノードＡ側のソース／ドレイン拡散領域にエミッタが接続され、電源端子ＰＷＲにコレクタが接続される。寄生バイポーラＱ７では、補償トランジスタＭＮ７のバックゲートにベースが接続され、補償トランジスタＭＮ７における出力端子ＯＵＴ側のソース／ドレイン拡散領域にエミッタが接続され、電源端子ＰＷＲにコレクタが接続される。寄生ダイオードＤ３ｃでは、補償トランジスタＭＮ７のバックゲートにアノードが接続され、補償トランジスタＭＮ７におけるノードＡ側のソース／ドレイン拡散領域にカソードが接続される。寄生ダイオードＤ３ｄでは、補償トランジスタＭＮ７のバックゲートにアノードが接続され、補償トランジスタＭＮ７における出力端子ＯＵＴ側のソース／ドレイン拡散領域にカソードが接続される。
【００３４】
出力トランジスタＴ１では、ドレインが電源端子ＰＷＲに接続され、ソースが出力端子ＯＵＴに接続される。なお、出力トランジスタＴ１のゲートには制御信号Ｓ１が供給される。出力トランジスタＴ１は、制御信号Ｓ１がハイレベルの場合に導通状態となり、制御信号Ｓ１がロウレベルの場合に非導通状態となる。
【００３５】
抵抗Ｒ３では、一方の端子が補償トランジスタＭＮ７のバックゲートに接続され、他方の端子がバックゲート制御回路１８に接続される。なお抵抗Ｒ３には、抵抗の両端と電源端子ＰＷＲとの間に、寄生素子として、それぞれ寄生ダイオードＤ３ａ、Ｄ３ｂが形成される。より具体的には、寄生ダイオードＤ３ａでは、抵抗１３のバックゲート制御回路１８側の端子にアノードが接続され、電源端子ＰＷＲにカソードが接続される。寄生ダイオードＤ３ｂでは、抵抗１３の補償回路１６側の端子にアノードが接続され、電源端子ＰＷＲにカソードが接続される。
【００３６】
バックゲート制御回路１８は、抵抗Ｒ３の他方の端子とノードＡとの間に設けられる。そして、バックゲート制御回路１８は、抵抗Ｒ３を介して、補償トランジスタＭＮ７のバックゲートを制御する。バックゲート制御回路１８は、電源１０が電源端子ＰＷＲに正極側電圧ＶＢが接続されている状態において、接地端子ＧＮＤ２に負極側電圧ＶＳＳが接続されているか否かによらず、補償トランジスタＭＮ７のバックゲートにノードＡの電圧を与える。
【００３７】
より具体的には、バックゲート制御回路１８は、第１のＮＭＯＳトランジスタＭＮ９を有する。本実施の形態では、第１のＮＭＯＳトランジスタＭＮ９としてＮ型ＭＯＳトランジスタを用いる。第１のＮＭＯＳトランジスタＭＮ９では、ドレインがノードＡに接続され、ソースが抵抗Ｒ３の他方の端子に接続され、ゲートが電源端子ＰＷＲに接続され、バックゲートがソースに接続される。
【００３８】
なお、バックゲート制御回路１８には、寄生素子として、寄生バイポーラＱ４が形成される。より具体的には、寄生バイポーラＱ４では、第１のＮＭＯＳトランジスタＭＮ９のバックゲートにベースが接続され、第１のＮＭＯＳトランジスタＭＮ９におけるノードＡ側のドレイン拡散領域にエミッタが接続され、電源端子ＰＷＲにコレクタが接続される。
【００３９】
次に、電源１０が正常に接続されている場合における負荷駆動装置２の動作について説明する。まず、制御信号Ｓ１がハイレベルであり、制御信号Ｓ２がロウレベルである場合、放電トランジスタＭＮ１が非導通状態、出力トランジスタＴ１が導通状態となる。そのため、負荷１１には電源１０が出力する正極側電源ＶＢが電力として供給される。
【００４０】
一方、制御信号Ｓ１がロウレベルであり、制御信号Ｓ２がハイレベルである場合、放電トランジスタＭＮ１が導通状態となり、出力トランジスタＴ１のゲートから出力端子ＯＵＴに対して電荷を引き抜く。そのため、出力トランジスタＴ１のゲート放電が完了すると、出力トランジスタＴ１のゲートは０Ｖとなる。つまり、出力トランジスタＴ１のゲート・ソース間電圧が０Ｖとなり、出力トランジスタＴ１は非導通状態となる。そのため、負荷１１には電源１０からの電力が供給されず、出力端子ＯＵＴの電圧はほぼ０Ｖとなる。
【００４１】
また、電源１０が正常に接続されている状態では、第１のＮＭＯＳトランジスタＭＮ９は導通状態となるため、補償トランジスタＭＮ７のバックゲートには抵抗Ｒ１０及び抵抗Ｒ３を介して負極側電圧ＶＳＳが印加される。このとき、寄生ダイオードＤ３ａ〜Ｄ３ｄは逆バイアスされているため非導通状態となる。また、寄生バイポーラＱ４、Ｑ６及びＱ７はエミッタ・ベース間電圧が実質的に０Ｖになるようにショートする。そのため、第１のＮＭＯＳトランジスタＭＮ９の導通によって、寄生素子からノードＡへ流れ込む電流はほとんど発生しない。また、ノードＡと接地端子ＧＮＤ２の電圧は実質的に同じになる。そのため、ノードＡと出力端子ＯＵＴとの間に接続されている補償トランジスタＭＮ７は導通しない。すなわち、補償トランジスタＭＮ７は無効な状態となる。
【００４２】
ここで、寄生素子についてより具体的に説明するため、制御回路１３、補償回路１６、バックゲート制御回路１８及び抵抗Ｒ３の断面図を図２に示す。図２に示す断面図では、制御回路１３、補償回路１６、バックゲート制御回路１８及び抵抗Ｒ３が１つのＮ型半導体基板に形成される例を示す。
【００４３】
図２に示すように、抵抗Ｒ３は、Ｎ型半導体基板上にＰ型の拡散領域を用いて形成される。例えば、抵抗Ｒ３では、両端に不純物濃度の高いＰ＋拡散領域によって抵抗の接続端子が形成される。そして、その接続端子間を接続する不純物濃度の低いＰ−拡散領域によって抵抗部分が形成される。
【００４４】
制御回路１３の放電トランジスタＭＮ１は、Ｎ型半導体基板上にＰ型半導体領域で形成されるＰウェル（以下、場合に応じて放電トランジスタＭＮ１のバックゲートと称す）を有する。そして、Ｐウェル上にＰ＋拡散領域とＮ＋拡散領域を有する。Ｐ＋拡散領域は、Ｐウェルへの電位供給端子となり、放電トランジスタＭＮ１のバックゲート電圧をＰウェルに与える。Ｎ＋拡散領域は、放電トランジスタＭＮ１のソースまたはドレイン領域を形成する。ドレインを形成するＮ＋拡散領域の周りには、不純物濃度の低いＮ−拡散領域が形成される。このＮ−拡散領域により、放電トランジスタＭＮ１のドレイン・バックゲート間が高耐圧を有する。そして、Ｎ型半導体基板の上層であって、２つのＮ＋拡散領域に跨る領域には、ゲート酸化膜を介してゲート電極が形成される。
【００４５】
補償回路１６の補償トランジスタＭＮ７及びバックゲート制御回路１８の第１のＮＭＯＳトランジスタＭＮ９は、それぞれ、放電トランジスタＭＮ１と実質的に同じ構造を有する素子によって形成される。ただし、補償トランジスタＭＮ７は、ソース及びドレインを形成するいずれのＮ＋拡散領域の周りにもＮ−拡散領域が形成され、ドレイン・バックゲート間及びソース・バックゲート間に高耐圧を有する構造を有する。
【００４６】
そして、寄生バイポーラＱ４は、第１のＮＭＯＳトランジスタＭＮ９のバックゲートをベースとし、第１のＮＭＯＳトランジスタＭＮ９においてノードＡに接続される側のＮ＋拡散領域をエミッタとし、Ｎ型半導体基板をコレクタとして形成される。寄生バイポーラＱ６は、補償トランジスタＭＮ７のバックゲートをベースとし、補償トランジスタＭＮ７においてノードＡに接続される側のＮ＋拡散領域をエミッタとし、Ｎ型半導体基板をコレクタとして形成される。寄生バイポーラＱ７は、補償トランジスタＭＮ７のバックゲートをベースとし、補償トランジスタＭＮ７において出力端子ＯＵＴに接続される側のＮ＋拡散領域をエミッタとし、Ｎ型半導体基板をコレクタとして形成される。
【００４７】
寄生ダイオードＤ１は、放電トランジスタＭＮ１のバックゲートをアノードとし、放電トランジスタＭＮ１において出力トランジスタＴ１のゲートに接続される側のＮ＋拡散領域をカソードとして形成される。寄生ダイオードＤ３ａは、抵抗Ｒ３において第１のＮＭＯＳトランジスタＭＮ９のバックゲートに接続される側のＮ＋拡散領域をアノードとし、Ｎ型半導体基板をカソードとして形成される。寄生ダイオードＤ３ｂは、抵抗Ｒ３において補償トランジスタＭＮ７のバックゲートに接続される側のＮ＋拡散領域をアノードとし、Ｎ型半導体基板をカソードとして形成される。寄生ダイオードＤ３ｃは、補償トランジスタＭＮ７のバックゲートをアノードとし、補償トランジスタＭＮ７においてノードＡに接続される側のＮ＋拡散領域をカソードとして形成される。寄生ダイオードＤ３ｄは、補償トランジスタＭＮ７のバックゲートをアノードとし、補償トランジスタＭＮ７において出力端子ＯＵＴに接続される側のＮ＋拡散領域をカソードとして形成される。
【００４８】
一般に、ＮＰＮバイポーラは、ベースがオープンの場合よりも、ベースに固定電位が与えられた場合の方が、コレクタ・エミッタ間の耐圧が高い。ここで、従来技術では、寄生バイポーラのベースがオープンになる場合があった。そのため、従来技術では、当該寄生バイポーラのコレクタ・エミッタ間耐圧ＢＶｃｅｏが電源１０の最大印加電圧以下まで低下してしまう可能性があった。
【００４９】
そこで、本実施の形態では、寄生バイポーラＱ４、Ｑ６及びＱ７のベースに固定電位を与える。それにより、寄生バイポーラＱ４、Ｑ６及びＱ７のコレクタ・エミッタ間は高耐圧を有する。なお、このときの寄生バイポーラのコレクタ・エミッタ間耐圧は、予め電源１０の最大印加電圧よりも高くなるようにデバイス設計される。それにより、寄生バイポーラＱ４、Ｑ６及びＱ７は、電源１０の最大印加電圧まで非導通状態を維持する。
【００５０】
図１及び図２に示すように、寄生バイポーラＱ４、Ｑ６及びＱ７のベースは、いずれも補償トランジスタＭＮ７のバックゲートの配線ラインに接続されている。また、負荷駆動装置２が待機状態（スタンバイ状態で、出力トランジスタＴ１から負荷１１への電力供給を行わない場合）の場合、第１のＮＭＯＳトランジスタＭＮ９は導通状態である。このとき、寄生バイポーラＱ４、Ｑ６及びＱ７のベースには、接地端子ＧＮＤを介して電源１０の負極側電圧ＶＳＳが供給される。これにより、寄生バイポーラＱ４、Ｑ６及びＱ７は、最大印加電圧まで非導通状態を維持する。つまり、負荷駆動装置２は、当該寄生バイポーラに電流が流れないため、消費電流の増大を抑制することができる。
【００５１】
続いて、配線接続不良等により接地端子ＧＮＤ２がオープン状態（以下、単にＧＮＤ接続不良モードと称す）となった場合における、負荷駆動装置２の動作について説明する。ＧＮＤ接続不良モードでは、出力トランジスタＴ１が非導通状態であるものとする。そのため、出力端子ＯＵＴは０Ｖとなる。そして、接地端子ＧＮＤ２の電圧が０Ｖよりも上昇し、補償トランジスタＭＮ７の閾値を超える電圧となると、補償トランジスタＭＮ７は導通して、ノードＡと出力端子ＯＵＴとの間をショートする。
【００５２】
より具体的には、ＧＮＤ接続不良モードでは、バックゲート制御回路１８の第１のＮＭＯＳトランジスタＭＮ９が導通する。したがって、接地端子ＧＮＤ２から抵抗Ｒ１０及び抵抗Ｒ３を介して、補償トランジスタＭＮ７のバックゲートへ電流が流れる。この電流は寄生ダイオードＤ３ｄを介して出力端子ＯＵＴに向けて流れる。一方、寄生ダイオードＤ３ｃは、カソードがノードＡに接続されているので、実質的にアノードとカソードとが同じ電圧になる。したがって、寄生ダイオードＤ３ｃには電流が流れない。なお、寄生ダイオードＤ３ａ、Ｄ３ｂは、カソード側の電圧が正極側電圧ＶＢであるため順方向電圧が発生しない。
【００５３】
ここで、抵抗Ｒ３の抵抗値を予め調整することにより、寄生ダイオードＤ３ｄの順方向電圧が寄生バイポーラＱ７の閾値電圧を超えないようにしておく。それにより、寄生ダイオードＤ３ｄの順方向電圧は例えば約０．５Ｖ程度となる。寄生バイポーラＱ７は、エミッタ・ベース間電圧が０．７Ｖ程度以下となるため、非導通状態となる。つまり、補償トランジスタＭＮ７のバックゲートの電圧は、出力端子ＯＵＴの電圧（例えば０Ｖ）から約０．５Ｖ程度高い電圧となる。このとき、補償トランジスタＭＮ７は、出力端子ＯＵＴに接続されている側がソース、ノードＡが接続されている側がドレインとなる。そして、補償トランジスタＭＮ７のゲートには、ノードＡの電圧とほぼ同じ電圧が印加される。そのため、補償トランジスタＭＮ７は導通状態となる。
【００５４】
これにより、ノードＡには出力端子ＯＵＴの電圧（例えば０Ｖ）が供給される。そのため、放電トランジスタＭＮ１のソース・ドレイン間の電位差は実質的に無くなる。従って、放電トランジスタＭＮ１を介して出力トランジスタＴ１のゲートにリーク電流が流入することはない。つまり、出力トランジスタＴ１は非導通状態を維持する。
【００５５】
上記の説明により、本実施の形態にかかる負荷駆動装置２は、接地配線の接続不良によって接地端子ＧＮＤ２の電圧が上昇した場合であっても、補償トランジスタＭＮ７が導通することによって、ノードＡに出力端子ＯＵＴの電圧を供給する。それにより、本実施の形態にかかる負荷駆動装置２は、放電トランジスタＭＮ１の両端に発生する電位差を実質的になくし、放電トランジスタＭＮ１を非導通状態にする。それにより、放電トランジスタＭＮ１を介して出力トランジスタＴ１のゲートに流れ込むリーク電流は防止される。このような動作により、本実施の形態にかかる負荷駆動装置２は、接地端子ＧＮＤ２の電圧が上昇した場合であっても、出力トランジスタＴ１の非導通状態を維持することができる。それにより、本実施の形態にかかる負荷駆動装置２は、接地端子ＧＮＤ２の電圧上昇による出力トランジスタＴ１の発熱を防止し、出力トランジスタＴ１の破壊を防ぐことができる。つまり、本実施の形態にかかる負荷駆動装置２では、接地配線の断線等による不具合に対する信頼性を向上することができる。
【００５６】
実施の形態２
上記負荷駆動装置２では、接地端子ＧＮＤ２の電圧の上昇による出力トランジスタＴ１のオフ状態に関する不具合を解決できる。しかしながら、電源１０が逆接続された場合における負荷駆動装置の保護を実現することはできない。そこで、実施の形態２では、接地端子ＧＮＤ２の電圧の上昇による出力トランジスタＴ１のオフ状態に関する不具合の解決に加え、電源１０の逆接続時の保護も実現する。
【００５７】
さらに、本実施の形態では次の問題も解決する。前述のように、負荷駆動装置が自動車等に用いられる場合、負荷１１側の接地端子ＧＮＤ１と、制御回路１３側の接地端子ＧＮＤ２とは、それぞれ異なる場所で接地される。そのため、両端子間に電位差が存在することがある。ここで、実施の形態１の負荷駆動装置２では、電源１０が正常に接続された場合の待機時において、接地端子ＧＮＤ１の電位よりも接地端子ＧＮＤ２の電位が高い場合、出力トランジスタＴ１を確実に非導通にすることができない可能性がある。一方、本実施の形態の負荷駆動装置３では、電源１０が正常に接続された場合の待機時において、接地端子ＧＮＤ１の電位と接地端子ＧＮＤ２の電位とが異なる場合でも、確実に出力トランジスタＴ１を非導通にすることが可能である。
【００５８】
図３に実施の形態２にかかる負荷駆動装置３の回路図を示す。図３に示す負荷駆動装置３は、図１に示す負荷駆動装置２と比較して、保護ダイオード（例えば、クランプダイオード）Ｄ１０と、抵抗（第３の抵抗）Ｒ２と、抵抗（第４の抵抗）Ｒ１１と、逆接続保護回路１７と、をさらに備える。抵抗Ｒ２は例えば拡散抵抗である。なお、以下の説明では、実施の形態１と同様のものについては実施の形態１と同様の符号を付して説明は省略する。
【００５９】
制御回路１３は、実施の形態１における制御回路１３と同様のものであるが、放電トランジスタＭＮ１のソース及びバックゲートの接続先が実施の形態１とは異なる。実施の形態２では、放電トランジスタＭＮ１のソースは、出力端子ＯＵＴに接続される。また、放電トランジスタＭＮ１のバックゲートは抵抗Ｒ２を介して出力端子ＯＵＴに接続される。
【００６０】
放電トランジスタＭＮ１には、寄生素子として、寄生ダイオードＤ１に加え、さらに寄生バイポーラＱ１が形成される。より具体的には、寄生バイポーラＱ１では、放電トランジスタＭＮ１のバックゲートにベースが接続され、出力トランジスタＴ１のゲートにエミッタが接続され、電源端子ＰＷＲにコレクタが接続される。なお、図１に示す負荷駆動装置２の場合にも、放電トランジスタＭＮ１に寄生バイポーラＱ１が形成されている。しかし、寄生バイポーラＱ１の動作は、電源１０が逆接続された場合にのみ問題となるため、図１には寄生バイポーラＱ１を図示していない。
【００６１】
また抵抗Ｒ２には、寄生素子として、寄生ダイオードＤ１ａ、Ｄ１ｂが形成される。寄生ダイオードＤ１ａでは、アノードが抵抗Ｒ２の出力端子ＯＵＴ側の端子に接続され、カソードが電源端子ＰＷＲに接続される。寄生ダイオードＤ２ｂでは、アノードが抵抗Ｒ２における放電トランジスタＭＮ１のバックゲート側の端子に接続され、カソードが電源端子ＰＷＲに接続される。
【００６２】
ダイオードＤ１０では、カソードが電源端子ＰＷＲに接続され、アノードが抵抗Ｒ１０を介して接地端子ＧＮＤ２に接続される。なお、ダイオードＤ１０のアノード側のノードをノードＢと称す。つまり、実施の形態１でノードＡと称していたものは、実施の形態２ではノードＢと称す。
【００６３】
逆接続保護回路１７は、出力トランジスタＴ１のゲートに接続されるとともに、抵抗Ｒ１１を介して接地端子ＧＮＤ２に接続される。なお、抵抗Ｒ１１と逆接続保護回路１７とは、ノードＣを介して接続されている。つまり、逆接続保護回路１７は、出力トランジスタＴ１のゲートとノードＣとの間に接続される。逆接続保護回路１７は、電源１０が逆接続された場合に出力トランジスタＴ１のゲートに電荷を供給して、出力トランジスタＴ１を導通させる。
【００６４】
逆接続保護回路１７は保護トランジスタＭＮ８を有する。本実施例の形態では、保護トランジスタＭＮ８としてＮ型ＭＯＳトランジスタを用いる。保護トランジスタＭＮ８では、ソース／ドレインの一方が出力トランジスタＴ１のゲートに接続され、ゲート及びソース／ドレインの他方がノードＣに共通接続され、バックゲートが抵抗Ｒ３の一方の端子に接続される。
【００６５】
逆接続保護回路１７には、寄生素子として、寄生バイポーラＱ８、Ｑ９及び寄生ダイオードＤ３ｅ、Ｄ３ｆが形成される。より具体的には、寄生バイポーラＱ８では、保護トランジスタＭＮ８のバックゲートにベースが接続され、保護トランジスタＭＮ８においてノードＣ側のソース／ドレイン拡散領域にエミッタが接続され、電源端子ＰＷＲにコレクタが接続される。寄生バイポーラＱ９では、保護トランジスタＭＮ８のバックゲートにベースが接続され、保護トランジスタＭＮ８において出力トランジスタＴ１のゲート側のソース／ドレイン拡散領域にエミッタが接続され、電源端子ＰＷＲにコレクタが接続される。寄生ダイオードＤ３ｅでは、保護トランジスタＭＮ８のバックゲートにアノードが接続され、保護トランジスタＭＮ７においてノードＣ側のソース／ドレイン拡散領域にカソードが接続される。寄生ダイオードＤ３ｆでは、保護トランジスタＭＮ８のバックゲートにアノードが接続され、保護トランジスタＭＮ８において出力トランジスタＴ１のゲート側のソース／ドレイン拡散領域にカソードが接続される。
【００６６】
補償回路１６は、実施の形態１における補償回路１６と同様のものであるが、補償トランジスタＭＮ７のソース／ドレインの他方の端子及びゲートの接続先が実施の形態１とは異なる。実施の形態２の補償トランジスタＭＮ７では、ソース／ドレインの一方の端子が出力端子ＯＵＴに接続され、ソース／ドレインの他方の端子がノードＣに接続され、ゲートがノードＢに接続され、バックゲートが抵抗Ｒ３の一方の端子に接続される。また、寄生バイポーラＱ６のエミッタは、実施の形態１と異なり、ノードＣに接続される。抵抗Ｒ１１は、接地端子ＧＮＤ２とノードＣとの間に直列に接続される。
【００６７】
次に、電源１０が正常に接続されている場合における負荷駆動装置３の動作について説明する。まず、制御信号Ｓ１がハイレベルであり、制御信号Ｓ２がロウレベルである場合、放電トランジスタＭＮ１が非導通状態であり、出力トランジスタＴ１は導通状態となる。そのため、負荷１１には電源１０が出力する正極側電源ＶＢが電力として供給される。
【００６８】
一方、制御信号Ｓ１がロウレベルであり、制御信号Ｓ２がハイレベルである場合、放電トランジスタＭＮ１が導通状態となり、出力トランジスタＴ１のゲートから出力端子ＯＵＴに対して電荷を引き抜く。そのため、出力トランジスタＴ１のゲート放電が完了すると、出力トランジスタＴ１のゲートは０Ｖとなる。つまり、出力トランジスタＴ１のゲート・ソース間電圧が０Ｖとなり、出力トランジスタＴ１は非導通状態となる。そのため、負荷１１には電源１０からの電力が供給されず、出力端子ＯＵＴの電圧はほぼ０Ｖとなる。
【００６９】
また、電源１０が正常に接続されている状態では、第１のＮＭＯＳトランジスタＭＮ９は導通状態となるため、補償トランジスタＭＮ７及び保護トランジスタＭＮ８のバックゲートには抵抗Ｒ１０及び抵抗Ｒ３を介して負極側電圧ＶＳＳが印加される。このとき、寄生ダイオードＤ３ａ〜Ｄ３ｆは逆バイアスされているため非導通となる。また、寄生バイポーラＱ４、Ｑ６〜Ｑ９はエミッタ・ベース間電圧が実質的に０Ｖになるようにショートする。そのため、第１のＮＭＯＳトランジスタＭＮ９の導通によって、寄生素子からノードＢへ流れ込む電流はほとんど発生しない。また、ノードＢと接地端子ＧＮＤ２の電圧は実質的に同じになる。つまり、補償トランジスタＭＮ７及び保護トランジスタＭＮ８は、負極側電圧ＶＳＳに応じた電圧がバックゲートに供給されるため、非導通状態となる。すなわち、補償トランジスタＭＮ７及び保護トランジスタＭＮ８は無効な状態となる。
【００７０】
ここで、寄生素子についてより具体的に説明するため、制御回路１３、補償回路１６、バックゲート制御回路１８、逆接続保護回路１７、抵抗２及び抵抗Ｒ３の断面図を図４に示す。図４に示す断面図では、制御回路１３、補償回路１６、バックゲート制御回路１８、逆接続保護回路１７、抵抗２及び抵抗Ｒ３が１つのＮ型半導体基板に形成される例を示す。なお、以下の説明では、実施の形態１と同様のものについては実施の形態１と同様の符号を付して説明は省略する。
【００７１】
図４に示すように、放電トランジスタＭＮ１、補償トランジスタＭＮ７、保護トランジスタＭＮ９及び抵抗Ｒ３は、それぞれ、図２に示した負荷駆動装置２と実質的に同じ構造を有する。
【００７２】
逆接続保護回路１７の保護トランジスタＭＮ８は、放電トランジスタＭＮ１と実質的に同じ構造を有する素子によって形成される。ただし、保護トランジスタＭＮ８は、ソース及びドレインを形成するいずれのＮ＋拡散領域の周りにもＮ−拡散領域が形成され、ドレイン・バックゲート間及びソース・バックゲート間に高耐圧を有する構造を有する。また、抵抗Ｒ２は、抵抗Ｒ３と実質的に同じ構造を有する素子によって形成される。
【００７３】
そして、寄生バイポーラＱ１は、放電トランジスタＭＮ１のバックゲートをベースとし、放電トランジスタＭＮ１において出力トランジスタＴ１のゲートに接続される側のＮ＋拡散領域をエミッタとし、Ｎ型半導体基板をコレクタとして形成される。寄生ダイオードＤ１ａは、抵抗Ｒ２において出力端子ＯＵＴに接続される側のＰ＋拡散領域をアノードとし、Ｎ型半導体基板をカソードとして形成される。寄生ダイオードＤ１ｂは、抵抗Ｒ２において放電トランジスタＱ１のバックゲートに接続される側のＰ＋拡散領域をアノードとし、Ｎ型半導体基板をカソードとして形成される。
【００７４】
寄生バイポーラＱ８は、保護トランジスタＭＮ８のバックゲートをベースとし、保護トランジスタＭＮ８においてノードＣに接続される側のＮ＋拡散領域をエミッタとし、Ｎ型半導体基板をコレクタとして形成される。寄生バイポーラＱ９は、保護トランジスタＭＮ８のバックゲートをベースとし、保護トランジスタＭＮ８において出力トランジスタＴ１のゲートに接続される側のＮ＋拡散領域をエミッタとし、Ｎ型半導体基板をコレクタとして形成される。寄生ダイオードＤ３ｅは、保護トランジスタＭＮ８のバックゲートをアノードとし、保護トランジスタＭＮ８においてノードＣに接続される側のＮ＋拡散領域をカソードとして形成される。寄生ダイオードＤ３ｆは、保護トランジスタＭＮ８のバックゲートをアノードとし、保護トランジスタＭＮ８において出力トランジスタＴ１のゲートに接続される側のＮ＋拡散領域をカソードとして形成される。
【００７５】
ここで図３及び図４に示すように、寄生バイポーラＱ４、Ｑ６〜Ｑ９のベースは、いずれも補償トランジスタＭＮ７及び保護トランジスタＭＮ８のバックゲートの配線ライン上に接続されている。また、負荷駆動装置３が待機状態の場合、第１のＮＭＯＳトランジスタＭＮ９は導通状態である。したがって、寄生バイポーラＱ４、Ｑ６〜Ｑ９のベースには、接地端子ＧＮＤを介して電源１０の負極側電圧ＶＳＳが供給される。これにより、寄生バイポーラＱ４、Ｑ６〜Ｑ９は、実施の形態１の場合と同様に、最大印加電圧まで非導通状態を維持する。つまり、本実施の形態にかかる負荷駆動装置３は、当該寄生バイポーラに電流が流れないため、消費電流の増大を抑制することができる。
【００７６】
続いて、配線接続不良等により接地端子ＧＮＤ２がオープン状態（ＧＮＤ接続不良モード）となった場合における、負荷駆動装置３の動作について説明する。なお、ＧＮＤ接続不良モードでは、出力トランジスタＴ１が非導通状態であるものとする。ここで、放電トランジスタＭＮ１は出力トランジスタＴ１のゲートと出力端子ＯＵＴとの間に接続されている。そのため、放電トランジスタＭＮ１は、ＧＮＤ接続不良モードにおいて、補償トランジスタＭＮ７の状態に関わらず、接地端子ＧＮＤ２からのリーク電流を出力トランジスタＴ１のゲートへ流すことはない。そのため、寄生バイポーラＱ１も非導通状態を示す。すなわち、寄生バイポーラＱ１は無効な状態となっている。
【００７７】
補償トランジスタＭＮ７及び保護トランジスタＭＮ８のバックゲートは、第１のＮＭＯＳトランジスタＭＮ９が導通することにより、実施の形態１の場合と同様に約０．５Ｖ程度の電圧となる。そのため、保護トランジスタＭＮ８は、出力端子ＯＵＴに接続されている側がソース、ノードＣに接続されている側がドレインとなり、導通状態を示す。また、補償トランジスタＭＮ７も、実施の形態１と同様の理由で導通状態となるため、ノードＣの電圧が出力端子ＯＵＴの電圧（例えば０Ｖ）となる。これにより、保護トランジスタＭＮ８のドレインとソースは同じ電圧となり、保護トランジスタＭＮ８を介して出力トランジスタＴ１のゲートに電流が流れ込まない。つまり、出力トランジスタＴ１は非導通状態を維持する。
【００７８】
上記の説明により、本実施の形態にかかる負荷駆動装置３は、接地配線の接続不良によって接地端子ＧＮＤ２の電圧が上昇した場合であっても、補償トランジスタＭＮ７が導通することによって、ノードＣに出力端子ＯＵＴの電圧を供給する。それにより、本実施の形態にかかる負荷駆動装置３は、保護トランジスタＭＮ８の両端に発生する電位差を実質的になくし、保護トランジスタＭＮ８を非導通状態にする。それにより、保護トランジスタＭＮ８を介して出力トランジスタＴ１のゲートに流れ込むリーク電流は防止される。このような動作により、本実施の形態にかかる負荷駆動装置３は、接地端子ＧＮＤ２の電圧が上昇した場合であっても出力トランジスタＴ１の非導通状態を維持することができる。それにより、本実施の形態にかかる負荷駆動装置３は、接地端子ＧＮＤ２の電圧上昇による出力トランジスタＴ１の発熱を防止し、出力トランジスタＴ１の破壊を防ぐことができる。つまり、本実施の形態にかかる負荷駆動装置３では、接地配線の断線等による不具合に対する信頼性を向上することができる。
【００７９】
続いて、電源１０が誤って逆接続された場合の動作モード（以下逆接続モードと称す）での、負荷駆動装置３の動作について説明する。図５に逆接続モードにおける負荷駆動装置３の回路図を示す。また、図６に逆接続モードにおける負荷駆動装置３を構成するデバイスの断面図を示す。
【００８０】
逆接続モードでは、電源１０の正極側電圧ＶＢと負極側電圧ＶＳＳの接続が逆になる。また、それにより寄生バイポーラＱ１、Ｑ４、Ｑ６〜Ｑ９のエミッタとコレクタがそれぞれ逆になる。これは、電源１０の逆接続により、高電位側と低電位側が逆になるためである。なお各寄生バイポーラは、電源１０が正常に接続されている場合と比較して、エミッタとコレクタが異なるが、電源１０が正常に接続されている場合と同じ記号を付している。
【００８１】
逆接続モードでは、接地端子ＧＮＤ２からダイオードＤ１０を介して電源端子ＰＷＲに向けて電流が流れることにより、ノードＢの電圧はダイオードＤ１０の順方向電圧（例えば０．７Ｖ）となる。また、負荷１１及び出力トランジスタＴ１のバックゲート・ドレイン間のダイオードを介して接地端子ＧＮＤ１から電源端子ＰＷＲに向けて電流が流れることにより、出力端子ＯＵＴの電圧は出力トランジスタＴ１の寄生ダイオード（バックゲート・ドレイン間のダイオード）の順方向電圧（例えば０．７Ｖ）となる。ここで、保護トランジスタＭＮ８を導通させることができれば、正極側電圧ＶＢが供給される接地端子ＧＮＤ２から、出力トランジスタＴ１のゲートに対して電荷が供給され、出力トランジスタＴ１を導通させることができる。それにより負荷駆動装置３は、出力トランジスタＴ１の発熱を抑制して当該負荷駆動装置の破壊を防止することができる。
【００８２】
第１のＮＭＯＳトランジスタＭＮ９は、ゲートに負極側電圧ＶＳＳが印加されるため、非導通状態となる。このとき、補償トランジスタＭＮ７のバックゲート電圧は、寄生ダイオードＤ３ｄにより、出力端子ＯＵＴの電圧より０．７Ｖ以下だけ高い電圧となる。同様に、保護トランジスタＭＮ８のバックゲートの電圧は、寄生ダイオードＤ３ｆにより、出力端子ＯＵＴの電圧より０．７Ｖ以下だけ高い電圧となる。これは、補償トランジスタＭＮ７及び保護トランジスタＭＮ８のバックゲート電圧が低電圧になることを意味している。このとき、補償トランジスタＭＮ７では、ゲート（ノードＢ）が０．７Ｖ程度、ドレイン（ノードＣ）は高電位、ソース（出力端子ＯＵＴ）及びバックゲートは０．７Ｖ程度となり、非導通状態となる。一方、保護トランジスタＭＮ８では、ゲートとドレイン（ノードＣ）が高電位、ソース（出力端子ＯＵＴ）、バックゲートが０．７Ｖ程度となり、導通状態となる。これにより、接地端子ＧＮＤ２から保護トランジスタＭＮ８を介して、出力トランジスタＴ１のゲートに電荷が供給される。
【００８３】
このとき、放電トランジスタＭＮ１に形成される寄生バイポーラＱ１が導通すると、出力トランジスタＴ１のゲート電荷を引き抜いて、出力トランジスタＴ１の導通を妨げる可能性がある。つまり逆接続モードにおいては、接地端子ＧＮＤ１から負荷１１及び放電トランジスタＭＮ１のバックゲートを介して電源端子ＰＷＲへ電流が流れる経路が存在する。そこで、抵抗Ｒ２の両端に形成される寄生ダイオードＤ１ａ、Ｄ１ｂによって、寄生バイポーラＱ１の導通を防ぐ。
【００８４】
つまり、逆接続モードにおいて、抵抗Ｒ２を介して寄生ダイオードＤ１へ電流が流れるとき、抵抗Ｒ２の影響により寄生ダイオードＤ１ｂには寄生ダイオードＤ１ａよりも小さな電流が流れる。このとき、寄生ダイオードＤ１ａには０．７Ｖ程度の順方向電圧が、寄生ダイオードＤ２ｂには０．５Ｖ程度の順方向電圧が発生する。寄生ダイオードＤ１ｂの順方向電圧は、寄生バイポーラＱ１のベース・エミッタ間電圧と同じであるため、寄生バイポーラＱ１は非導通となる。これにより、保護トランジスタＭＮ８から出力トランジスタＴ１のゲートへ供給される電荷は、寄生バイポーラＱ１によって引き抜かれることはなく、出力トランジスタＴ１は導通状態となる。
【００８５】
このように本実施の形態では、実施の形態１の場合と同様の効果を得ることができる。さらに、本実施の形態にかかる負荷駆動装置３は、電源１０の逆接続時に出力トランジスタＴ１を導通することにより、当該出力トランジスタＴ１の発熱を抑制して負荷駆動装置３の破壊を防止することができる。さらに、本実施の形態にかかる負荷駆動装置３は、電源１０が正常に接続されている場合の待機時において、出力トランジスタＴ１のゲート及びドレインをショートするため、接地端子ＧＮＤ１及び接地端子ＧＮＤ２の電位差に関わらず、確実に出力トランジスタＴ１を非導通にすることができる。
【００８６】
実施の形態３
図７に実施の形態３にかかる負荷駆動装置４の回路図を示す。また、図８に実施の形態３にかかる負荷駆動装置４を構成するデバイスの断面図を示す。さらに、図９及び図１０に電源逆接続時の負荷駆動装置４の回路図及び負荷駆動装置４を構成するデバイスの断面図を示す。負荷駆動装置４は、負荷駆動装置３のバックゲート制御回路１８の変形例としてバックゲート制御回路１８ｂを有する。負荷駆動装置４において負荷駆動装置３と同様のものについては、負荷駆動装置３と同じ符号を付して説明を省略する。
【００８７】
負荷駆動装置４のバックゲート制御回路１８ｂは、負荷駆動装置３のバックゲート制御回路１８と比較して、逆接続モードにおいて、補償トランジスタＭＮ７及び保護トランジスタＭＮ８のバックゲートを低インピーダンスで出力端子ＯＵＴの電位にショートすることにより、より安定な動作を得ることができる。
【００８８】
負荷駆動装置４のバックゲート制御回路１８ｂは、第１のＮＭＯＳトランジスタＭＮ９に加え、さらに第２のＮＭＯＳトランジスタＭＮ１０を有する。第２のＮＭＯＳトランジスタＭＮ１０では、ノードＣにゲートが接続され、出力端子ＯＵＴにドレインが接続され、第１のＮＭＯＳトランジスタＭＮ９のソースにソース及びバックゲートが接続される。
【００８９】
次に、負荷駆動装置４の動作について説明する。ここで、第２のＮＭＯＳトランジスタは、正常時の動作及びＧＮＤ接続不良モードにおいてゲートに負極側電圧ＶＳＳが印加されるため、非導通状態を示す。つまり、正常時の動作及びＧＮＤ接続不良モードにおける負荷駆動装置４の動作は、負荷駆動装置３の動作と実質的に同じであるため、説明を省略する。
【００９０】
逆接続モードにおいて、第２のＮＭＯＳトランジスタＭＮ１０は、ゲート（ノードＣ）が高電位、ドレインが０．７Ｖ程度（出力端子ＯＵＴ）、ソース及びバックゲートが０．７Ｖ程度となるため導通する。第２のＮＭＯＳトランジスタＭＮ１０の導通により、補償トランジスタＭＮ７及び保護トランジスタＭＮ８のバックゲートは出力端子ＯＵＴの電圧と同じになる。つまり、補償トランジスタＭＮ７及び保護トランジスタＭＮ８のバックゲートに対して出力端子ＯＵＴの電圧を低インピーダンスで供給する。これにより、保護トランジスタＭＮ８が導通し、出力トランジスタＴ１を導通することができる。このように本実施の形態では、実施の形態２の場合と同様の効果を得ることができる。
【００９１】
実施の形態４
図１１に実施の形態４にかかる負荷駆動装置５の回路図を示す。また、図１２に実施の形態４にかかる負荷駆動装置５を構成するデバイスの断面図を示す。負荷駆動装置５は、負荷駆動装置２と比較して、バックゲート制御回路１８を有しない。そのため、負荷駆動装置５は、負荷駆動装置２よりも少ない構成素子で機能を実現できる。
【００９２】
負荷駆動装置５の動作について説明する。正常時の動作では、補償トランジスタＭＮ７のバックゲートには抵抗Ｒ３及び抵抗Ｒ１０を介して接地端子ＧＮＤ２の電圧（負極側電圧ＶＳＳ）が供給される。そのため、補償トランジスタＭＮ７は非導通状態となる。同様に寄生バイポーラＱ６、Ｑ７のベースには、負極側電圧ＶＳＳが供給されるため、電源１０が高電圧の状態においても、寄生バイポーラＱ６、Ｑ７は非導通状態を維持する。つまり負荷駆動装置５は、待機状態の場合において、寄生バイポーラＱ６、Ｑ７に電流が流れないため、消費電流の増大を抑制することができる。また、寄生ダイオードＤ３ａ、Ｄ３ｂも逆バイアスされており、非導通状態となっている。
【００９３】
ＧＮＤ接続不良モードでは、接地端子ＧＮＤ２の電圧が高くなると、接地端子ＧＮＤ２から抵抗Ｒ１０及び抵抗Ｒ３を介して寄生ダイオードＤ３ｄに電流経路が形成される。この電流は寄生ダイオードＤ３ｄを介して出力端子ＯＵＴに向けて流れる。一方、寄生ダイオードＤ３ｃは、カソードがノードＡに接続されているので、実質的にアノードとカソードとが同じ電圧になる。したがって、寄生ダイオードＤ３ｃには電流が流れない。なお、寄生ダイオードＤ３ａ、Ｄ３ｂは、カソード側の電圧が正極側電圧ＶＢであるため順方向電圧が発生しない。ここで、抵抗Ｒ３の抵抗値を予め調整することにより、実施の形態１にかかる負荷駆動装置２と同じ理由で、寄生ダイオードＤ３ｄの順方向電圧が寄生バイポーラＱ７の閾値電圧を超えないようにしておくことができる。それにより、寄生バイポーラＱ７は非導通状態となる。このとき、補償トランジスタＭＮ７は、出力端子ＯＵＴに接続されている側がソース、ノードＡが接続されている側がドレインとなり、ノードＡの電圧とほぼ同じ電圧がゲートに印加される。そのため、補償トランジスタＭＮ７は導通状態となる。このように本実施の形態では、実施の形態１の場合と同様の効果を得ることができる。
【００９４】
以上により、上記実施の形態にかかる負荷駆動装置は、接地配線の接続不良によって接地端子ＧＮＤ２の電圧が上昇した場合であっても、出力トランジスタＴ１の非導通状態を維持し、出力トランジスタＴ１の過熱による破壊を防止することができる。さらに、上記実施の形態にかかる負荷駆動装置は、電源１０が正常に接続された場合の待機時において、当該負荷駆動装置が許容する最大電源電圧で動作した場合でも、寄生バイポーラの非導通状態を維持し、消費電力の増大を抑制することができる。
【００９５】
なお、本発明は上記実施の形態に限られたものではなく、趣旨を逸脱しない範囲で適宜変更することが可能である。上記実施の形態では、各素子が１つの半導体基板上に形成される例を説明したが、これに限られない。つまり本発明は、１つの半導体基板に各素子が形成されるものに限定されるものではない。
【符号の説明】
【００９６】
２〜５  負荷駆動装置
１０  電源
１１  負荷
１２  ドライバ回路
１３  制御回路
１６  補償回路
１７  逆接続保護回路
１８、１８ｂ  バックゲート制御回路
Ｄ１０  保護ダイオード
Ｔ１  出力トランジスタ
Ｒ２、Ｒ３、Ｒ１０、Ｒ１１  抵抗
ＭＮ１  放電トランジスタ
ＭＮ７  補償トランジスタ
ＭＮ８  保護トランジスタ
ＭＮ９  第１のＮＭＯＳトランジスタ
ＭＮ１０  第２のＮＭＯＳトランジスタ
Ｑ１、Ｑ４、Ｑ６〜Ｑ９  寄生バイポーラ
Ｄ１、Ｄ１ａ、Ｄ１ｂ、Ｄ４  寄生ダイオード
Ｄ３ａ〜Ｄ３ｆ  寄生ダイオード
【図１】
0005438468.tif 000002
【図２】
0005438468.tif 000003
【図３】
0005438468.tif 000004
【図４】
0005438468.tif 000005
【図５】
0005438468.tif 000006
【図６】
0005438468.tif 000007
【図７】
0005438468.tif 000008
【図８】
0005438468.tif 000009
【図９】
0005438468.tif 000010
【図１０】
0005438468.tif 000011
【図１１】
0005438468.tif 000012
【図１２】
0005438468.tif 000013
【図１３】
0005438468.tif 000014
【図１４】
0005438468.tif 000015